(57)【要約】      （修正有）【課題】少ない部品で構成できるので、簡単かつ迅速に組立・解体が可能となり、邪魔になる場合に枠組足場側に倒して一時的な避難が容易にできることに加えて、次世代足場のフランジやソケットの出っ張りがあっても設置可能で、また、防音パネルにも対応でき、ネットもしくはメッシュシートを簡単に取り付けることができる養生朝顔を提供する。【解決手段】枠組足場の足場建枠に着脱自在に取り付けるものとして、梁材２と、腕杆としての下枠フレーム３と梁材と下枠フレームを連結する縦枠材４とで構成する根本方向に末広がりのブラケット９と、建枠の間隔で並列するこのブラケット相互に掛け渡す枠体に貼設したネットもしくはメッシュシートからなり、ブラケットの縦枠材の上下に取付片５を形成し、この取付片を端部にクランプを設けて足場建枠支柱に取付けるコ字形の支持フレーム６に軸着した。【選択図】図１
0003230797.tif 000002
【実用新案登録請求の範囲】
【請求項１】
仮設足場の支柱に着脱自在に取り付けるものとして、梁材と、腕杆としての下枠フレームと梁材と下枠フレームを連結する縦枠材とで構成する根本方向に末広がりのブラケットと、支柱の間隔で並列するこのブラケット相互に掛け渡す枠体に貼設したネットもしくはメッシュシートからなり、前記ブラケットの縦枠材の上下に取付片を形成し、この取付片を端部にクランプを設けて足場支柱に取付けるコ字形の支持フレームに軸着したことを特徴とする養生朝顔。
【請求項２】
末広がりのブラケットは腕杆としての下枠フレームと梁材と下枠フレームの先端は湾曲して梁材に結合し、結合箇所から先に梁材が突出する請求項１記載の養生朝顔。
【請求項３】
コ字形の支持フレームはブラケットの縦枠材と同程度の高さを有する請求項１または請求項２記載の養生朝顔。
【請求項４】
ブラケットの取付片はコ字形の支持フレームの上下に形成するコ字形金物に差入れ、ブラケットの上部の取付片と支持フレームのコ字形金物は通しボルトで軸着し、ブラケットの下部の取付片と支持フレームのコ字形金物はトグルピンで軸着する請求項１ないし請求項３のいずれかに記載の養生朝顔。
【考案の詳細な説明】
【技術分野】
【０００１】
本考案は、建築、土木の工事現場等で使用する仮設材として、枠組足場に設けて落下物防止をなす養生朝顔に関するものである。
【背景技術】
【０００２】
養生朝顔は、工事中の落下物を防止するため、足場の中間に張りめぐらされた仮設棚である。
【０００３】
出願人は先に、少ない部品で構成できるので、簡単かつ迅速に組立・解体が可能となり、また、邪魔になる場合に枠組足場側に倒して一時的な避難が容易にできる養生朝顔として下記特許文献のものを出願し、権利を取得した。
【特許文献１】特開平７−２０７９５２号公報
【０００４】
この特許文献１は図１６、図１７に示すように、枠組足場の建枠８である支柱１に着脱自在に取り付けるものとして上弦材１０と下弦材１１とを縦材１２で結合して根本方向に末広がりの横向き台形枠としたブラケット９と、支柱１の間隔で並列するこのブラケット９の先端の縦材１２の上端相互に掛け渡す水平材２０とで平面的な枠を構成し、これらブラケット９の上弦材１０と水平材２０とに適宜間隔で設けたフック２９で端部を係止して枠面にシート２４を張設した。
【０００５】
前記ブラケット９は、上弦材１０の端部を枠組足場の支柱１に結合するクランプ１３に軸着し、また、下弦材１１の端部には枠組足場の建枠８に嵌合するコ字形金物１５を設けた。コ字形金物１５は左右片の開放面近くにピン挿通孔を設け、ここに開放面を閉塞するピンを差し込むようにする。
【０００６】
ブラケット９は先端近傍に吊り下げ部材としてのチェーン１９の一端を結合し、該チェーン２０の他端には係止用のジョインフック２３を設けた。
【０００７】
このようにして、まず、上弦材１０の根本側端部のクランプ１３を建地材に結合し、下弦材１１の端部のコ字形金物１５を支柱１に嵌め、かつ、トグルピンで開放面を閉塞してブラケット９を建枠８に取付ける。
【０００８】
そして、建枠８の間隔で並列するこのブラケット９先端に水平材２０を掛け渡して平面的な枠を構成し、フック２９にシート２４の端部を係止して、この枠面にシート２４を張設した。
【０００９】
養生朝顔が邪魔になる場合には、クランプ１３の軸着部の個所を回転軸として、前記朝顔全体を上方に回転させて枠組足場側に倒し、この状態でチェーン１９で枠組足場に係止しておく。
【考案の概要】
【考案が解決しようとする課題】
【００１０】
前記特許文献１の養生朝顔はブラケットをクランプやコ字形金物で直接建枠に取付けるものであり、従来からある鳥居形枠組足場や簡易枠組足場では問題はないもののくさび緊結式の足場である次世代足場に使用する場合には次世代足場には柱のフランジやくさび状のインサート金具が挿入されるソケットなどの出っ張り部分が多く、これが干渉して取付けることができないおそれがある。
【００１１】
また、枠組足場側部に防音パネルを取付けることもあるが、その場合にも防音パネルが邪魔してブラケットが取付けることができないおそれがある。
【００１２】
本考案の目的は前記従来例の不都合を解消し、少ない部品で構成できるので、簡単かつ迅速に組立・解体が可能となり、邪魔になる場合に枠組足場側に倒して一時的な避難が容易にできることに加えて、次世代足場のフランジやソケットの出っ張りがあっても設置可能で、また、防音パネルにも対応でき、ネットもしくはメッシュシートを簡単に取り付けることができる養生朝顔を提供することにある。
【課題を解決するための手段】
【００１３】
前記目的を達成するため請求項１記載の本考案は、枠組足場の足場建枠に着脱自在に取り付けるものとして、梁材と、腕杆としての下枠フレームと梁材と下枠フレームを連結する縦枠材とで構成する根本方向に末広がりのブラケットと、建枠の間隔で並列するこのブラケット相互に掛け渡す枠体に貼設したネットもしくはメッシュシートからなり、前記ブラケットの縦枠材の上下に取付片を形成し、この取付片を端部にクランプを設けて足場建枠支柱に取付けるコ字形の支持フレームに軸着したことを要旨とするものである。
【００１４】
請求項１記載の本考案によれば、ブラケットは足場建枠支柱に取付けるコ字形の支持フレームに軸着するので、直接足場建枠支柱にブラケットを取付ける場合に比べて、コ字形の支持フレームの内側内空の分だけ張出して取付けることができ、次世代足場のフランジやソケットの出っ張りや防音パネルを干渉させずに設けることができる。
【００１５】
しかも、足場建枠支柱に取付けるコ字形の支持フレームに軸着するのはブラケットの縦枠材であり、支持フレームに対してブラケット全体を上方に回転させて枠組足場側に倒す場合にもコ字形の支持フレームの内側内空の分だけ張出を確保できるので、次世代足場のフランジやソケットの出っ張りや防音パネルを干渉させずに行うことができる。
【００１６】
請求項２記載の本考案は、末広がりのブラケットは腕杆としての下枠フレームと梁材と下枠フレームの先端は湾曲して梁材に結合し、結合箇所から先に梁材が突出することを要旨とするものである。
【００１７】
請求項２記載の本考案によれば、特許文献１のパイプによる上弦材と下弦材とを縦材で適宜間隔に結合したブラケットに比べて、ブラケット全体を枠組むのではなく、梁材が突出するようにしたことでブラケットの軽量化を図ることができる。
【００１８】
請求項３記載の本考案は、コ字形の支持フレームはブラケットの縦枠材と同程度の高さを有することを要旨とするものである。
【００１９】
請求項３記載の本考案によれば、ブラケットの全体がコ字形の支持フレームに安定して取付けることができる。
【００２０】
請求項４記載の本考案は、ブラケットの取付片はコ字形の支持フレームの上下に形成するコ字形金物に差入れ、ブラケットの上部の取付片と支持フレームのコ字形金物は通しボルトで軸着し、ブラケットの下部の取付片と支持フレームのコ字形金物はトグルピンで軸着することを要旨とするものである。
【００２１】
請求項４記載の本考案によれば、邪魔になる場合に枠組足場側に倒して一時的な避難をするのに、トグルピンを抜けば、ブラケットの上部の取付片と支持フレームのコ字形金物は通しボルトで軸着しているのでこれを軸としてコ字形の支持フレームに対してブラケットを回転させることができる。
【考案の効果】
【００２２】
以上述べたように本考案の養生朝顔は、少ない部品で構成できるので、簡単かつ迅速に組立・解体が可能となり、邪魔になる場合に枠組足場側に倒して一時的な避難が容易にできることに加えて、次世代足場のフランジやソケットの出っ張りがあっても設置可能で、また、防音パネルにも対応でき、ネットもしくはメッシュシートを簡単に取り付けることができるものである。
【図面の簡単な説明】
【００２３】
【図１】本考案の養生朝顔の１実施形態を示す側面図である。
【図２】本考案の養生朝顔の１実施形態を示す平面図である。
【図３】本考案の養生朝顔の１実施形態を示す防音パネル取付けの場合の側面図である。
【図４】本考案の養生朝顔の１実施形態を示す防音パネル取付けの場合の側面図である。
【図５】メッシュシートの平面図である。
【図６】コ字形の支持フレームの側面図である。
【図７】コ字形の支持フレームの平面図である。
【図８】使用手順の第１ステップを示す側面図である。
【図９】使用手順の第１ステップを示す平面図である。
【図１０】使用手順の第２ステップを示す側面図である。
【図１１】使用手順の第２ステップを示す平面図である。
【図１２】使用手順の第３ステップを示す側面図である。
【図１３】使用手順の第３ステップを示す平面図である。
【図１４】使用手順の第４ステップを示す側面図である。
【図１５】使用手順の第４ステップを示す平面図である。
【図１６】従来例を示す斜視図である。
【図１７】従来例を示す側面図である。
【考案を実施するための形態】
【００２４】
以下、図面について本考案の実施例を詳細に説明する。図１は本考案の養生朝顔の１実施形態を示す側面図で、図２は同上平面図で、図中９は、枠組足場もしくはくさび状の次世代足場の支柱１に着脱自在に取り付けるブラケットで、梁材２と、腕杆としての下枠フレーム３と梁材２と下枠フレーム３を連結する縦枠材４とで構成する根本方向に末広がりのブラケットである。
【００２５】
次世代足場はくさび緊結式の足場であり、所要数の支柱１が、間隔をおいて前後２列にかつ列ごとに左右方向に間隔をおいて立てられている。
【００２６】
各支柱１の表面における前後左右それぞれの側部に、平面より見てコ字形の複数のソケット金具１ａを上下方向に所定間隔おきに溶接固定している。この前後側部のソケット金具１ａ、左右側部のソケット金具１ａとは、上下にずれて配置される。
【００２７】
前後に並んだ２つの支柱１の所定高さ位置において互いに向かい合う前後側部のソケット金具１ａに、横桟２６の両端部に垂下状に設けられたくさび状のインサート金具２６ａが上方から挿入され、それによって両支柱１と横桟２６とが連結される。
【００２８】
左右に隣り合う２つの横桟２６に、踏板２７の左右端部に設けられたフックが掛け止められ、それによって両横桟２６に踏板２７が渡し止められる。
【００２９】
隣り合う２つの支柱１の所定高さ位置において互いに向かい合う左右側部のソケット金具１ａに、手摺（図示せず）の両端部に垂下状に設けられたくさび状のインサート金具が挿入され、それによって両支柱１に手摺が渡し止められている。
【００３０】
前記ブラケット９において、下枠フレーム３は先端が湾曲して梁材２の途中に結合し、縦枠材４とで略台形状の枠を形成し、前記梁材２と下枠フレーム３の結合箇所から先に梁材２が全体の１／３程度突出する。
【００３１】
前記ブラケット９の縦枠材４の上下に略三角形状のフランジ状取付片５を形成する。
【００３２】
図中６は端部にクランプを設けて足場建枠支柱１へのクランプ７を設けたコ字形の支持フレームで、その上下にクランプ７を設けた側と反対側に突出するように前記ブラケット９の縦枠材４の取付片５が係合する平面より見てコ字形の受入れ金具１４を設けた。
【００３３】
図２に示すように梁材２は２連１組として並列され、各梁材２の上面には
係止ピン１６を相互間隔を存して突設した。
【００３４】
２連の梁材２に対して１つのコ字形の支持フレーム６が対応するもので、前記コ字形の受入れ金具１４は２つが併合して平面より見てヨの字形となっている。
【００３５】
図５中で１７は３mm目のメッシュシートで、これは梁材２間に架け渡す矩形日字状の枠体１８に取付けて展設したもので、枠体１８のクリップ金物１８ａによりメッシュシート１７の網糸を係止してメッシュシート１７を固定する。
【００３６】
メッシュシート１７は周囲に補強テープ１７ａが施され、このテープ補強箇所に鳩目で補強した取付穴１７ｂを形成した。
【００３７】
また、枠体１８は梁材２の係止ピン１６が挿入する孔を設けた係止片１８ｂを有し、メッシュシート１７を枠体１８に取付けた際には、係止片１８ｂに取付穴１７ｂを重ねた状態で梁材２の係止ピン１６を挿入する。
【００３８】
なお、メッシュシート１７はメッシュ状の高強度ポリエステル織物に樹脂コーティングをした耐久性に優れたものであるが、これに替わるものとして金属製その他のネットでもよい。
【００３９】
次に組み立て方および使用法について説明する。図８〜図１５は第１工程〜第４工程の各側面図、平面図で、枠組足場や次世代足場がすでに組立られているとして、第１工程として図８、図９にその支柱１にコ字形の支持フレーム６をクランプ７を介して取付ける。
【００４０】
次いで、第２工程としてチェーン取付片２５に一端を係止したチェーン１９の他端を前記支柱１の上方に取付け、チェーン１９でブラケット９を吊下げるようにして縦枠材４の上端のコ字形の支持フレーム６の上側の取付片５を受入れ金具１４に差入れ、ボルト・ナット２１で固定する。これにより、ブラケット９はボルト・ナット２１を軸として回転できるようになる。
【００４１】
第３工程として図１２、図１３に示すように、支柱１の間隔で並ぶブラケット９同士にメッシュシート１７付きの枠体１８を掛け渡し、ブラケット９間にメッシュシート１７を展設する。
【００４２】
第４工程として図１４、図１５に示すように、チェーン１９を伸ばしてブラケット９を回転させて下ろし、縦枠材４の下端の取付片５をコ字形の支持フレーム６の下側の受入れ金具１４に差入れ、先端を折り曲げ可能として抜け出し防止手段を設けたトグルピン２２にて固定する。
【００４３】
以上が本考案の養生朝顔の設置であるが、これが邪魔になる場合には、図１２、図１３と同じ状態になるように、トグルピン２２を外し、縦枠材４の下端の取付片５とコ字形の支持フレーム６の下側の受入れ金具１４とをフリーとして、チェーン１９を引き上げて朝顔全体を上方に回転させて枠組足場側に倒し、この状態でチェーン１９係止しておくようにすればよい。
【００４４】
図３、図４は防音パネル２８を足場側面に設置した例を示す。防音パネル２８は支柱１のソケット金具１ａよりも更に外側に位置するが、前記コ字形の支持フレーム６はこの防音パネル２８よりもさらに外側に張り出すので、ブラケット９は防音パネル２８よりも外側で支持フレーム６に取り付き、干渉されることはない。
【符号の説明】
【００４５】
１…支柱                            １ａ…ソケット金具
２…梁材                            ３…下枠フレーム
４…縦枠材                          ５…取付片
６…支持フレーム                    ７…クランプ
８…建枠                            ９…ブラケット
１０…上弦材                        １１…下弦材
１２…縦材                          １３…クランプ
１４…受入れ金具                    １５…コ字形金物
１６…係止ピン                      １７…メッシュシート
１７ａ…補強テープ                  １７ｂ…取付穴
１８…枠体                          １８ａ…クリップ金物
１８ｂ…係止片                    １９…チェーン
２０…水平材                      ２１…ボルト・ナット
２２…トグルピン                  ２３…ジョインフック
２４…シート                      ２５…チェーン取付片
２６…横桟                        ２６ａ…くさび状のインサート金具
２７…踏板                        ２８…防音パネル
２９…フック
【図１】
0003230797.tif 000003
【図２】
0003230797.tif 000004
【図３】
0003230797.tif 000005
【図４】
0003230797.tif 000006
【図５】
0003230797.tif 000007
【図６】
0003230797.tif 000008
【図７】
0003230797.tif 000009
【図８】
0003230797.tif 000010
【図９】
0003230797.tif 000011
【図１０】
0003230797.tif 000012
【図１１】
0003230797.tif 000013
【図１２】
0003230797.tif 000014
【図１３】
0003230797.tif 000015
【図１４】
0003230797.tif 000016
【図１５】
0003230797.tif 000017
【図１６】
0003230797.tif 000018
【図１７】
0003230797.tif 000019